(57)【要約】【課題】縦長空間部を有する建物において、ユーザの意向に合った空調を行い、しかも各階の空調を効率良く実施する。【解決手段】建物１０において一階／二階の境界部１３の一部が取り除かれて吹き抜け開口部１４が形成されており、その吹き抜け開口部１４を通じて上下に連通する空間が吹き抜け空間１５となっている。境界部１３には一階用の空調装置２１が設置され、二階部分１２の天井裏スペースには二階用の空調装置３１が設置されている。また、境界部１３には、吹き抜け開口部１４（吹き抜け空間１５）を横切るようにして水平方向にエアカーテンを発生させるためのエアカーテン装置４０が設置されている。一階及び二階の少なくともいずれかで空調装置２１，３１による空調が行われる場合に、エアカーテン装置４０の駆動によりエアカーテンが発生するようになっている。【選択図】      図１
2008111627.tif 000002
【特許請求の範囲】
【請求項１】
上下に隣接する上階部と下階部とを有するとともに、その上階部と下階部とを連通する縦長空間部を有する建物に適用され、
前記上階部及び下階部のそれぞれで空調を行う空調装置と、
上階部及び下階部の階間を仕切る高さ付近に設けられ、水平方向又は略水平方向にエアカーテンを形成するエアカーテン装置と、
上階部及び下階部の少なくともいずれかで前記空調装置による空調が行われる場合に、前記エアカーテン装置を駆動させてエアカーテンを発生させるエアカーテン制御手段と、
を備えたことを特徴とする建物の空調システム。
【請求項２】
前記上階部と前記下階部との温度差を算出する温度差算出手段をさらに備え、
前記エアカーテン制御手段は、前記算出した上階部及び下階部の温度差に応じて前記エアカーテン装置を駆動させてエアカーテンを発生させる請求項１に記載の建物の空調システム。
【請求項３】
前記縦長空間部を通じて上下方向の空気流が発生しているかどうかを判定する手段をさらに備え、
前記エアカーテン制御手段は、前記上下方向の空気流が発生している旨判定した場合に、前記エアカーテン装置を駆動させてエアカーテンを発生させる請求項１に記載の建物の空調システム。
【請求項４】
前記エアカーテン制御手段は、前記空調装置により上階部で冷房空調が行われているかどうかを判定し、その冷房空調が行われている場合に、前記エアカーテンを発生させる請求項１乃至３のいずれかに記載の建物の空調システム。
【請求項５】
前記エアカーテン制御手段は、前記空調装置により下階部で暖房空調が行われているかどうかを判定し、その暖房空調が行われている場合に、前記エアカーテンを発生させる請求項１乃至４のいずれかに記載の建物の空調システム。
【請求項６】
前記空調装置から上階部又は下階部のいずれかに送出される空調エアを前記エアカーテン装置に供給しその空調エアによりエアカーテンを形成するとともに、エアカーテン形成後の排出エアを、前記空調装置による空調階と同階側に吹き出させる請求項１乃至５のいずれかに記載の建物の空調システム。
【請求項７】
前記エアカーテン装置により形成されるエアカーテンの上下角度を、吹出エアの温度に応じて可変とする請求項１乃至６のいずれかに記載の建物の空調システム。
【請求項８】
前記エアカーテン装置として、前記縦長空間部を挟んで対向配置される吹出グリルと吸込グリルとを備え、そのうち前記吹出グリルの上下方向のエア吹出角度を調整可能とした建物の空調システムであって、
前記吹出グリルのエア吹出角度を調整することで、前記エアカーテンの上下角度を変更する請求項７に記載の建物の空調システム。
【請求項９】
前記エアカーテン装置として、前記縦長空間部を挟んで対向配置される吹出グリルと吸込グリルとを備え、前記吹出グリルの実際の吹出高さ位置と前記吸込グリルの実際の吸込高さ位置との少なくともいずれかを調整可能とした建物の空調システムであって、
前記吹出グリルの実際の吹出高さ位置と前記吸込グリルの実際の吸込高さ位置との少なくともいずれかを調整することで、前記エアカーテンの上下角度を変更する請求項７に記載の建物の空調システム。
【発明の詳細な説明】
【技術分野】
【０００１】
本発明は、建物の空調システムに関するものである。
【背景技術】
【０００２】
住宅等の建物では、例えば一階部分と二階部分とを連通させて吹き抜け空間を形成したものがある。他方、建物には一般に空調装置が設けられており、上記のような吹き抜け空間の空調を行う場合には、吹き抜け空間を通じて上下方向に空気流が生じるため、室内温度が望み通りに調整できないといった問題が生じる。すなわち、冷房時には空調装置から吹き出された冷風が下方に流れ、暖房時には空調装置から吹き出された冷風が上方に流れる。そのため、夏期等において二階部分でユーザの意向に合うような冷房ができなかったり、冬期等において一階部分でユーザの意向に合うような暖房ができなかったりする。なお、上記のようにユーザの意向に合う冷暖房ができなくなる問題は、吹き抜け空間以外に、上階部と下階部とを繋ぐ階段部分などにおいても生じる。
【０００３】
上階部と下階部との温度差を解消し、上下階を均一な温度に設定するための技術として、例えば特許文献１が提案されている。かかる特許文献１では、上下階に連通する空間（吹き抜け空間等）を有する建物において、その上下階の間の床部に、上階室内側に開口する上階側給排気口と、下階室内側に開口する下階側給排気口とを設け、それら各給排気口を空調装置に連通させている。そして、暖房時には、上階室内の空気を上階側給排気口から吸うとともに、下階室内に向かって下階側給排気口から温風を吹き出すようにしている。また、冷房時には、下階室内の空気を下階側給排気口から吸うとともに、上階室内に向かって上階側給排気口から冷風を吹き出す構成としている。
【０００４】
上記特許文献１は、上下階における室内温度の均一化を図る上では有用な技術と考えられるが、ユーザ（家人）が上階部又は下階部のいずれかに居る場合であっても、その居場所のみを冷暖房することができない。つまり、常に上下階に渡って空調が行われる。そのため、非効率な空調が行われるおそれがあった。
【特許文献１】特開平１１−２５７６８４号公報
【発明の開示】
【発明が解決しようとする課題】
【０００５】
本発明は、縦長空間部を有する建物において、ユーザの意向に合った空調を行い、しかも各階の空調を効率良く実施することができる建物の空調システムを提供することを主たる目的とするものである。
【課題を解決するための手段】
【０００６】
以下、上記課題を解決するのに有効な手段等につき、必要に応じて作用、効果等を示しつつ説明する。なお以下では、理解を容易にするため、発明の実施形態において対応する構成例を括弧書き等で適宜示すが、この括弧書き等で示した具体的構成に限定されるものではない。
【０００７】
上階部（二階部分１２）と下階部（一階部分１１）とを有し、かつその上階部と下階部とを連通する縦長空間部（吹き抜け空間１５）を有する建物（建物１０）では、上階部又は下階部の少なくともいずれかで空調が行われる際に、縦長空間部を含む空間でユーザの意向に合う冷暖房が行えないことが生じる。
【０００８】
この点本発明によれば、上階部と下階部との階間を仕切る高さ付近にエアカーテン装置を設けている。そして、上階部及び下階部の少なくともいずれかで空調装置（空調装置２１，３１）による空調が行われる場合に、エアカーテン装置を駆動させ、水平方向又は略水平方向にエアカーテンを発生させるようにしている。かかる場合、縦長空間部において上階側の空間と下階側の空間とがエアカーテンにより分断され、空気の上下移動が妨げられる。したがって、夏期等において上階部でユーザの意向に合うような冷房ができない、又は、冬期等において下階部でユーザの意向に合うような暖房ができないといった不都合を解消することができる。その結果、縦長空間部を有する建物において、ユーザの意向に合った空調を行い、しかも各階の空調を効率良く実施することができる。なお、縦長空間部には、吹き抜け部や階段部が含まれる。
【０００９】
ちなみに、吹き抜け空間等の縦長空間部に可動式スクリーンを設置し、そのスクリーンにより、縦長空間部の上階側と下階側とを熱遮断する従来技術もある。しかしながら、かかる技術では、スクリーンにて上階側と下階側とを分離することで、吹き抜け空間等を有することで本来得られる筈の開放感等が損なわれてしまう。また、階段室等を有する空間においてはスクリーンの設置が困難になるといった不都合や、仮に設置できたとしても通行の邪魔になるといった不都合が生じる。この点本発明によれば、吹き抜け空間等による開放感が何ら支障なく得られる。また、階段室等への設置も容易であり、その設置状態において通行の邪魔になるといった不都合も回避できる。
【００１０】
ここで、上階部と下階部との温度差（縦長空間部における上階側の空間と下階側の空間との温度差）を算出し、その温度差に応じてエアカーテン装置を駆動させてエアカーテンを発生させると良い。より具体的には、上階部／下階部の温度差が所定値よりも大きくなることを条件に、エアカーテンを発生させると良い。つまり、上階部と下階部とで温度差が生じていない場合には、空調装置による冷暖房が行われていても、ユーザの意に反するような室内温度の偏りが生じていないと考えられる。この場合、温度条件を加味することにより、都度の必要に応じて適度にエアカーテンを発生させることができる。
【００１１】
また、縦長空間部において上下方向の空気流（上昇気流又は下降気流）が発生することで、上階部と下階部との温度差が生じると考えられる。故に、縦長空間部を通じて上下方向の空気流が発生しているかどうかを判定し、前記上下方向の空気流が発生している旨判定した場合にエアカーテンを発生させると良い。本構成によっても、上記のとおり都度の必要に応じて適度にエアカーテンを発生させることができる。
【００１２】
ところで、冷房空調時の冷気は下方に流れるため、縦長空間部を含む空間でユーザの意向に合うような冷房ができないといった不都合は、上階部を冷房したい場合に発生すると考えられる（換言すれば、下階部を冷房したい場合には上記不都合は生じない）。そこで、空調装置により上階部で冷房空調が行われているかどうかを判定し、その冷房空調が行われている場合にエアカーテンを発生させると良い。本構成によれば、所望とする冷房を好適に行わせることができる。また、エアカーテンを過度に発生させることが回避でき、消費エネルギの節減を図ることができる。
【００１３】
また、暖房空調時の暖気は上方に流れるため、縦長空間部を含む空間でユーザの意向に合うような暖房ができないといった不都合は、下階部を暖房したい場合に発生すると考えられる（換言すれば、上階部を暖房したい場合には上記不都合は生じない）。そこで、空調装置により下階部で暖房空調が行われているかどうかを判定し、その暖房空調が行われている場合にエアカーテンを発生させると良い。本構成によれば、所望とする暖房を好適に行わせることができる。また、エアカーテンを過度に発生させることが回避でき、消費エネルギの節減を図ることができる。
【００１４】
空調装置から上階部又は下階部のいずれかに送出される空調エアをエアカーテン装置に供給しその空調エアによりエアカーテンを形成するとともに、エアカーテン形成後の排出エアを、空調装置による空調階と同階側に吹き出させると良い。この場合、空調エアを活用することで、本来の空調を行いつつ、エアカーテン形成を好適に行わせることができる。
【００１５】
エアカーテン装置による吹出エアの温度が変わると、エア進行方向の上下角度（水平方向に対する上下角度）が相違し、エアカーテンの吹出位置と吸込位置とが不一致になることから、エアカーテンが適正に形成できなくなることがあると考えられる。具体的には、吹出エアの温度が低いと同エアが吸込側で下降傾向を呈し、逆に吹出エアの温度が高いと同エアが吸込側で上昇傾向を呈する。これは、本発明のようにエアカーテンを水平方向又は略水平方向に発生させる場合に限って生じる事象である。また特に、上記のように空調装置から送出される空調エアによりエアカーテンを発生させる構成とする場合には、冷房時と暖房時とで吹出エアの温度が相違し、上記事象が生じやすくなる。
【００１６】
そこで、エアカーテン装置により形成されるエアカーテンの上下角度（水平方向に対する上下角度、例えば吹出エアの上下角度）を、吹出エアの温度に応じて可変とすると良い。かかる構成によれば、常に適正にエアカーテンを形成し、所望とする効果を得ることができる。なお、上記のように空調装置から送出される空調エアによりエアカーテンを発生させる構成とする場合には、エアカーテンの上下角度（例えば吹出エアの上下角度）を冷房時と暖房時とで変更するような構成を採用することも可能である。
【００１７】
エアカーテンの上下角度を変更するための具体的な構成としては、次の（１），（２）が考えられる。
【００１８】
（１）エアカーテン装置として、縦長空間部を挟んで対向配置される吹出グリル（エアカーテン吹出グリル４２）と吸込グリル（エアカーテン吸込グリル４４）とを備え、そのうち吹出グリルの上下方向のエア吹出角度を調整可能とする。そして、吹出グリルのエア吹出角度を調整することで、エアカーテンの上下角度を変更する。具体的には、吹出エアの温度が低い場合（例えば冷房時）には、吹出グリルのエア吹出角度を上向きにし、吹出エアの温度が高い場合（例えば暖房時）には、吹出グリルのエア吹出角度を下向きにすると良い。
【００１９】
（２）エアカーテン装置として、縦長空間部を挟んで対向配置される吹出グリル（エアカーテン吹出グリル４２）と吸込グリル（エアカーテン吸込グリル４４）とを備え、吹出グリルの実際の吹出高さ位置と吸込グリルの実際の吸込高さ位置との少なくともいずれかを調整可能とする。そして、吹出グリルの実際の吹出高さ位置と吸込グリルの実際の吸込高さ位置との少なくともいずれかを調整することで、エアカーテンの上下角度を変更する。具体的には、吹出エアの温度が低い場合（例えば冷房時）には、吹出グリルの実際の吹出高さ位置を高くする、又は吸込グリルの実際の吸込高さ位置を低くする。また、吹出エアの温度が高い場合（例えば暖房時）には、吹出グリルの実際の吹出高さ位置を低くする、又は吸込グリルの実際の吸込高さ位置を高くする。
【発明を実施するための最良の形態】
【００２０】
［第１の実施形態］
以下、本発明を具体化した第１の実施形態を図面に基づいて説明する。本実施形態では、縦長空間部としての吹き抜け空間を有する住宅等の二階建て建物において、一階部分及び二階部分をそれぞれ個別に空調する空調システムを採用している。図１は、建物１０における空調システムの概要を示す図である。
【００２１】
図１において、建物１０は一階部分１１と二階部分１２とを有しており、それら一階部分１１及び二階部分１２の間に境界部１３が設けられている。なお、境界部１３は、一階天井面及び二階床面や、それらの間にある各部材によって構成されている。また、本建物１０においては、一階／二階の境界部１３の一部が取り除かれて吹き抜け開口部１４が形成されており、その吹き抜け開口部１４を通じて上下に連通する空間が吹き抜け空間１５となっている。
【００２２】
一階／二階の境界部１３には一階用の空調装置２１が設置されている。空調装置２１は少なくとも冷房及び暖房機能を有する熱交換ユニット（室内機）により構成され、この空調装置２１によって一階部分１１の各部屋における冷暖房が行われる。また、一階用の空調システムとして上記空調装置２１以外に、一階天井面１１ａには吸込グリル２２と給気グリル２３とが取り付けられており、吸込グリル２２を介して一階部屋内の空気が吸い込まれ、その後空調装置２１に取り込まれる。空調装置２１から排出される空調エア（冷気、又は暖気）は給気ダクト２４を介して給気グリル２３に給送され、給気グリル２３から一階部屋内に吹き出される。
【００２３】
また、二階部分１２の天井裏スペースには二階用の空調装置３１が設置されている。空調装置３１は、前述した空調装置２１と同様、少なくとも冷房及び暖房機能を有する熱交換ユニット（室内機）により構成され、この空調装置３１によって二階部分１２の各部屋における冷暖房が行われる。また、二階用の空調システムとして上記空調装置３１以外に、二階天井面１２ａには吸込グリル３２と給気グリル３３とが取り付けられており、吸込グリル３２を介して二階部屋内の空気が吸い込まれ、その後空調装置３１に取り込まれる。空調装置３１から排出される空調エア（冷気、又は暖気）は給気ダクト３４を介して給気グリル３３に給送され、給気グリル３３から二階部屋内に吹き出される。
【００２４】
なお、図示による詳細な説明は割愛するが、一階及び二階の各空調装置２１，３１にはそれぞれ複数の給気ダクトが接続されるとともに、一階及び二階の各部屋（居室、キッチン、寝室等）にそれぞれ給気グリルが設けられており、これら給気ダクト及び給気グリルによって一階や二階の各部屋に個別に空調エアが供給されるようになっている。
【００２５】
また、一階／二階の境界部１３には、吹き抜け開口部１４（吹き抜け空間１５）を横切るようにして水平方向にエアカーテンを発生させるためのエアカーテン装置４０が設置されている。エアカーテン装置４０は、エアカーテン吹出側の構成として吹出ファン４１とエアカーテン吹出グリル４２とを備えるとともに、エアカーテン吸込側の構成として吸込ファン４３とエアカーテン吸込グリル４４とを備える構成となっており、同エアカーテン装置４０の稼働時には、吹出ファン４１と吸込ファン４３とが共に駆動された状態で、エアカーテン吹出グリル４２から吹き出されるエアがエアカーテン吸込グリル４４に吸い込まれるようになっている。
【００２６】
本実施形態では特に、一階用の空調装置２１と吹出ファン４１とが接続ダクト４５により接続されており、吹出ファン４１に対して空調装置２１の空調エアが供給されるようになっている。また、吸込ファン４３には、接続ダクト４６を介してエア排出グリル４７が接続されている。エア排出グリル４７は、一階／二階の境界部１３において一階天井面１１ａに設けられており、吸込ファン４３の駆動に伴い吸い込まれたエア（本実施形態では空調装置２１による空調エア）がエア排出グリル４７から一階部分１１に排出される。
【００２７】
なお、空調装置２１とエアカーテン吹出グリル４２とを接続ダクト４５を介して直接接続し、空調装置２１からエアカーテン吹出グリル４２に対して空調エアを直接供給する構成（吹出ファン４１を省略した構成）とすることも可能である。
【００２８】
図２は建物１０を境界部１３にて断面視した平面略図である。同図に示すように、エアカーテン吹出グリル４２及びエアカーテン吸込グリル４４は、境界部１３の吹き抜け開口部１４に沿って各々長尺状に設けられ、かつ吹き抜け空間１５を挟んで対向配置されている。エアカーテン吹出グリル４２及びエアカーテン吸込グリル４４には、当該グリル４２，４４の長手方向に沿って長尺スリット状の吹出口及び吸込口（共に図示略）が設けられているが、その吹出口及び吸込口の形状はそれ以外に、矩形状又は円形状等であっても良い。吹出口及び吸込口が矩形状又は円形状等である場合、同吹出口及び吸込口が横並びで複数設けられる。ちなみに、一階用の空調装置２１には、前述のとおり複数の給気ダクト２４が接続されるとともに、部屋ごとに給気グリル２３が設けられている。
【００２９】
上記構成のエアカーテン装置４０によれば、空調装置２１から吹出ファン４１に空調エアが供給されると、その空調エアがエアカーテン吹出グリル４２から吹き出され、その後エアカーテン吸込グリル４４にて吸い込まれる。これにより、エアカーテン吹出グリル４２とエアカーテン吸込グリル４４との間において（すなわち吹き抜け開口部１４を横切るようにして）水平方向にエアカーテンが形成され、そのエアカーテンによって、吹き抜け空間１５を含む空間において一階側の空間と二階側の空間とが分断されて空気の行き来が遮断されるようになっている。
【００３０】
次に、本実施形態における空調システムの制御系の構成について図３を用いて説明する。
【００３１】
図３において、第１空調コントローラ５１は、一階用の空調装置２１を制御するための空調制御装置であり、ユーザの指示等に基づいて空調装置２１の稼働状況を制御する。詳しくは、第１空調コントローラ５１には、ユーザにより入力操作される入力操作装置５２や、一階部分１１の室内温度を検出する温度センサ５３が接続されており、同空調コントローラ５１は、入力操作装置５２からの指令信号に従い、ユーザが希望する空調制御を実施する。このとき、第１空調コントローラ５１には、入力操作装置５２から冷房／暖房の選択情報、希望温度情報、希望風量情報などが入力され、これら各入力情報と都度の室内温度（温度センサ５３の検出値）などに基づいて空調制御が行われる。入力操作装置５２や温度センサ５３は一階部分１１の部屋ごとに設けられると良く、部屋ごとの各種情報によって一階部分１１の各部屋が所望の温度環境とされる。なお、入力操作装置５２には、第１空調コントローラ５１との間で無線通信を行うリモコン装置（遠隔操作装置）が含まれる。
【００３２】
また、二階用の空調システムもほぼ同様のシステムであり、第２空調コントローラ５５は、入力操作装置５６（リモコン装置を含む）からの指令信号に従い、ユーザが希望する空調制御を実施する。このとき、第２空調コントローラ５５には、入力操作装置５６から冷房／暖房の選択情報、希望温度情報、希望風量情報などが入力され、これら各入力情報と都度の室内温度（温度センサ５７の検出値）などに基づいて空調制御が行われる。入力操作装置５６や温度センサ５７は二階部分１２の部屋ごとに設けられると良く、部屋ごとの各種情報によって二階部分１２の各部屋が所望の温度環境とされる。
【００３３】
また本実施形態において、第１空調コントローラ５１は、上記した一階用の空調制御に加え、都度の空調実施状況に応じてエアカーテン制御を実施する。この場合、第１空調コントローラ５１は、一階側の空調実施状況だけでなく、二階側の空調実施状況も知る必要があり、第２空調コントローラ５５から二階用の空調装置３１の運転情報や二階の室内温度（温度センサ５７の検出値）を入力する。そして、第１空調コントローラ５１は、一階及び二階の空調装置２１，３１の運転状況や一階及び二階の室内温度の差などに基づいてエアカーテン装置４０（吹出ファン４１、吸込ファン４３）の駆動を制御する。
【００３４】
図４は、エアカーテン制御に関する処理手順を示すフローチャートであり、本処理は第１空調コントローラ５１によって例えば所定の時間周期で実行される。
【００３５】
図４において、まずステップＳ１１では、一階及び二階の空調装置２１，３１の少なくともいずれかが運転されているか否か（すなわち、一階又は二階で冷房空調又は暖房空調が行われているか否か）を判定する。また、ステップＳ１２では、一階及び二階の各温度センサ５３，５７の検出値に基づいて一階及び二階の温度差（吹き抜け空間１５を含む空間の一階側及び二階側の温度差）を算出し、続くステップＳ１３では、その温度差が所定値α以上であるか否かを判定する。所定値αは、ユーザが一階部分１１と二階部分１２との間で移動した時に温度差を感じると想定される温度しきい値であり、例えば３℃である。ただし、所定値αをユーザが変更できる構成とすることも可能である。
【００３６】
ステップＳ１１，Ｓ１３のいずれかがＮＯであれば、ステップＳ１４に進み、エアカーテン装置４０（吹出ファン４１、吸込ファン４３）を停止状態とする。このとき、吹き抜け開口部１４においてエアカーテンは形成されない。また、ステップＳ１１，Ｓ１３が共にＹＥＳであれば、ステップＳ１５に進み、エアカーテン装置４０（吹出ファン４１、吸込ファン４３）を駆動させる。このとき、吹き抜け開口部１４においてエアカーテンが形成される。
【００３７】
以上詳述した本実施形態によれば、以下の優れた効果が得られる。
【００３８】
一階／二階の境界部１３にエアカーテン装置４０を設け、一階又は二階で空調装置２１，３１による空調が行われる場合に水平方向にエアカーテンを発生させるようにしたため、夏期等において二階部分１２でユーザの意向に合うような冷房ができない、又は、冬期等において一階部分１１でユーザの意向に合うような暖房ができないといった不都合を解消することができる。その結果、吹き抜け空間１５を有する建物１０において、ユーザの意向に合った空調を行い、しかも各階の空調を効率良く実施することができる。
【００３９】
また、吹き抜け開口部１４等に可動式スクリーンを設置し、そのスクリーンにより吹き抜け空間１５の一階側と二階側とを熱遮断する従来技術とは異なり、吹き抜け空間１５による開放感が何ら支障なく得られる。また、複雑な形状の部位にも簡易に設置できる。
【００４０】
一階及び二階の温度差に応じてエアカーテン装置４０を駆動してエアカーテンを発生させるようにしたため、ユーザの意に反するような室内温度の偏りが生じていない場合において過分にエアカーテンを発生させることが抑制できる。この場合、都度の必要に応じて適度にエアカーテンを発生させることができる。
【００４１】
一階用の空調装置２１から供給される空調エアによりエアカーテンを形成するとともに、エアカーテン形成後の排出エアを、空調装置２１による空調階と同階側（一階側）に吹き出させる構成としたため、空調エアをうまく活用することができる。これにより、本来の空調を行いつつ、エアカーテン形成を好適に行わせることができる。
【００４２】
加えて、エアカーテンを発生させることにより、一階部分１１又は二階部分１２で発生する臭いや煙等を遮断する効果も期待できる。例えば、一階部分１１に設けたダイニング等で焼き肉等をしても、その臭いや煙を二階部分１２に行かせないようにすることができる。なおこの場合、空調装置の運転状態に無関係でエアカーテンを発生させることができるよう、エアカーテン装置４０の駆動を手動でＯＮ／ＯＦＦできるようにすると良い。
【００４３】
［第２の実施形態］
ところで、冷房空調時の冷気は下方に流れるため、吹き抜け空間１５を含む空間でユーザの意向に合うような冷房ができないといった不都合は、二階部分１２を冷房したい場合に発生すると考えられる（換言すれば、一階部分１１を冷房したい場合には上記不都合は生じない）。また、暖房空調時の暖気は上方に流れるため、吹き抜け空間１５を含む空間でユーザの意向に合うような暖房ができないといった不都合は、一階部分１１を暖房したい場合に発生すると考えられる（換言すれば、二階部分１２を暖房したい場合には上記不都合は生じない）。
【００４４】
そこで本実施形態では、二階用の空調装置３１により冷房空調が行われていること、又は、一階用の空調装置２１により暖房空調が行われていることを、エアカーテンの発生条件とし、同条件が満たされる場合にエアカーテンを発生させることとする。
【００４５】
図５は、本実施形態においてエアカーテン制御に関する処理手順を示すフローチャートであり、本処理は第１空調コントローラ５１によって例えば所定の時間周期で実行される。
【００４６】
図５において、ステップＳ２１では、夏期等において二階用の空調装置３１により冷房空調が行われているか否かを判定する。また、次のステップＳ２２では、冬期等において一階用の空調装置２１により暖房空調が行われているか否かを判定する。そして、ステップＳ２１，Ｓ２２が共にＮＯであれば、ステップＳ２３に進み、エアカーテン装置４０（吹出ファン４１、吸込ファン４３）を停止状態とする。このとき、吹き抜け開口部１４においてエアカーテンは形成されない。また、ステップＳ２１，Ｓ２２のいずれかがＹＥＳであれば、ステップＳ２４に進み、エアカーテン装置４０（吹出ファン４１、吸込ファン４３）を駆動させる。このとき、吹き抜け開口部１４においてエアカーテンが形成される。
【００４７】
なお上記図５では割愛しているが、上記図４の処理と同様に、一階及び二階の温度差が所定値α以上であること（上記図４のステップＳ１３）をエアカーテンの発生条件として加えることも可能である。
【００４８】
冷房空調、又は暖房空調が行われる場合において、一階及び二階の冷暖房の実施状況とエアカーテン発生の有り無しとをまとめると図６のようになる。夏期等において冷房空調が行われる場合には、図６（ａ）に示すように、一階部分１１の冷房空調に無関係に、二階部分１２の冷房空調が行われることに合わせてエアカーテンを発生させるようにする。また、冬期等において暖房空調が行われる場合には、図６（ｂ）に示すように、二階部分１２の暖房空調に無関係に、一階部分１１の暖房空調が行われることに合わせてエアカーテンを発生させるようにする。
【００４９】
以上第２の実施形態によれば、建物１０の一階及び二階において、所望とする冷房又は暖房を好適に行わせることができる。また、エアカーテンを過度（無駄）に発生させることが回避でき、消費エネルギの節減を図ることができる。
【００５０】
［第３の実施形態］
エアカーテン装置４０による吹出エアの温度が変わると、エア進行方向の上下角度が相違する。この場合、エアカーテンの吹出位置と吸込位置とが不一致になり、エアカーテンが適正に形成できなくなることがあると考えられる。そこで本実施形態では、エアカーテンの上下角度（吹出エアの上下角度）を、吹出エアの温度に応じて可変とすることを提案する。
【００５１】
すなわち、図７の略図に示すように、エアカーテン吹出グリル４２とエアカーテン吸込グリル４４とは吹き抜け空間１５を挟んで対向配置されており（前記同様）、そのうち、エアカーテン吹出グリル４２の上下方向のエア吹出角度が、水平、上向き、下向きの少なくとも３段階で調整可能となっている。具体的には、エアカーテン吹出グリル４２に可動式のルーバ（羽根状の板）を設け、そのルーバの上下角度を変更することでエア吹出角度が調整できる構成としている。そして、第１空調コントローラ５１により、都度のエア温度情報（吹出エア温度）に基づいてエアカーテン吹出グリル４２の上下方向のエア吹出角度を制御する。
【００５２】
なお、吹出エア温度は、接続ダクト４５内を流れる空調エアの温度を実測して求められても良いし、一階用の空調装置２１における都度の空調実施状況（設定温度や実際の室内温度など）に基づく推定演算により求められても良い。
【００５３】
本実施形態では、低・中・高の３つの温度範囲をあらかじめ定めておき、都度の吹出エア（空調エア）の温度がいずれに属するかに応じてエアカーテン吹出グリル４２のエア吹出角度を制御する。例えば、１０〜２０℃を低温範囲、２０〜４５℃を中間温度範囲、４５〜５０℃を高温範囲とする。
【００５４】
図８には、吹出エアの温度と同吹出エアの進行方向との関係を示す。吹出エアの温度が中間温度範囲に属する場合、図８（ａ）に示すように、エアを水平方向に吹き出させる。この場合、エアカーテン吹出グリル４２から吹き出されたエアは水平方向にそのまま進み、エアカーテン吸込グリル４４に吸い込まれる。
【００５５】
これに対し、吹出エアの温度が低温範囲に属する場合には、図８（ｂ）に示すように、エアを上向き角度で吹き出させる。この場合、エアカーテン吹出グリル４２から吹き出されたエアは、低温であるためエアカーテン吸込グリル４４付近で下降気味となるが、上向き角度で吹き出されることで、エアカーテン吸込グリル４４に確実に吸い込まれる。また、吹出エアの温度が高温範囲に属する場合には、図８（ｃ）に示すように、エアを下向き角度で吹き出させる。この場合、エアカーテン吹出グリル４２から吹き出されたエアは、高温であるためエアカーテン吸込グリル４４付近で上昇気味となるが、下向き角度で吹き出されることで、やはりエアカーテン吸込グリル４４に確実に吸い込まれる。
【００５６】
以上第３の実施形態によれば、常に適正にエアカーテンを形成することができる。これにより、上記のとおりユーザの意向に合った空調を行い、しかも各階の空調を効率良く実施することができる。
【００５７】
エアカーテンの上下角度を変更するための具体的な構成として、次の構成を採用することも可能である。
【００５８】
すなわち、図９の略図に示すように、エアカーテン吸込グリル４４に、上下に並んだ３つの吸込口４４ａ，４４ｂ，４４ｃを設け、その３つの吸込口４４ａ〜４４ｃのいずれか１つのみを選択的にエア吸込可能とする。そして、第１空調コントローラ５１により、都度のエア温度情報（吹出エア温度）に基づいて吸込口４４ａ〜４４ｃを切り換えることで、エアカーテン吸込グリル４４の実際の吸込高さ位置を制御する。
【００５９】
ここでは、上記図７の実施形態と同様、低・中・高の３つの温度範囲をあらかじめ定めておき、都度の吹出エア（空調エア）の温度がいずれに属するかに応じてエアカーテン吸込グリル４４の実際の吸込高さ位置を制御する。
【００６０】
図１０には、吹出エアの温度と同吹出エアの進行方向との関係を示す。なお、本例では、上記図７及び図８で説明した実施形態とは異なり、エアカーテン吹出グリル４２におけるエア吹出方向はいずれの場合も水平方向である。
【００６１】
吹出エアの温度が中間温度範囲に属する場合、図１０（ａ）に示すように、上下３つの吸込口４４ａ〜４４ｃのうち、真ん中の吸込口４４ａのみをエア吸込可能とする。この場合、エアカーテン吹出グリル４２から吹き出されたエアは水平方向にそのまま進み、エアカーテン吸込グリル４４の吸込口４４ａに吸い込まれる。
【００６２】
これに対し、吹出エアの温度が低温範囲に属する場合には、図１０（ｂ）に示すように、上下３つの吸込口４４ａ〜４４ｃのうち、低位側の吸込口４４ｃのみをエア吸込可能とする。この場合、エアカーテン吹出グリル４２から吹き出されたエアは、低温であるためエアカーテン吸込グリル４４付近で下降気味となるが、エアカーテン吸込グリル４４の吸込口４４ｃに確実に吸い込まれる。また、吹出エアの温度が高温範囲に属する場合には、図１０（ｃ）に示すように、上下３つの吸込口４４ａ〜４４ｃのうち、高位側の吸込口４４ｂのみをエア吸込可能とする。この場合、エアカーテン吹出グリル４２から吹き出されたエアは、高温であるためエアカーテン吸込グリル４４付近で上昇気味になるが、エアカーテン吸込グリル４４の吸込口４４ｂに確実に吸い込まれる。
【００６３】
上述したようにエアカーテン吸込グリル４４に３つの吸込口４４ａ〜４４ｃを設ける代わりに、エアカーテン吹出グリル４２に３つの吹出口を設ける構成としても良い。この場合、エアカーテン吹出グリル４２に設けた３つの吹出口のうち１つを選択的に用いてエア吹出可能とすることで、エアカーテン吹出グリル４２の実際の吹出高さ位置を調整可能とする。
【００６４】
［他の実施形態］
本発明は上記実施形態の記載内容に限定されず、例えば次のように実施されても良い。
【００６５】
上記実施形態では、エアカーテン形成のためのエア供給源として一階用の空調装置２１を用い、同空調装置２１からの空調エアによりエアカーテンを形成する構成としたが、これを変更し、空調装置２１以外にエア供給源（専用のエアポンプ等）を設け、そのエア供給源からの供給エアによりエアカーテンを形成する構成としても良い。また、空調システムの別構成として、二階用の空調装置３１を一階用の空調装置２１とともに一階／二階の境界部１３に設けることも可能であり、かかる場合には二階用の空調装置２１からの空調エアによりエアカーテンを形成する構成としても良い。その他、一階用の空調装置（熱交換ユニット）と二階用の空調装置（熱交換ユニット）とを１つに統合することも可能である。
【００６６】
上記実施形態では、一階／二階の境界部１３の一部を取り除いて形成した吹き抜け開口部１４にエアカーテン装置４０を設けたが、これを変更しても良い。例えば、図１１（ａ）に示すように、通常の居住階６１の天井裏にロフト階６２を設け、居住階６１の天井６３の一部を取り除いて形成した開口部６４を通じてロフト階６２に行き来可能とする。居住階６１、ロフト階６２にはそれぞれ空調装置６５，６６が設けられている。この場合、天井６３にエアカーテン装置を設置し、そのエアカーテン装置にて水平方向にエアカーテンＡＣを発生させることにより、居住階６１とロフト階６２とを分断して空気の上下移動を規制する。これにより、居住階６１及びロフト階６２にてユーザの意向に合った空調を行い、しかも各階の空調を効率良く実施することができる。
【００６７】
また、図１１（ｂ）に示すように、上階部７１と下階部７２とを区画する境界部として、高さ位置が異なる段差状の境界部７３ａ，７３ｂを設け、その境界部７３ａ，７３ｂにエアカーテン装置を設置することも可能である。この場合、エアカーテンＡＣは、水平方向に対して若干上向き（略水平方向）に形成される。なお、図示の構成では、下側の境界部７３ａから上側の境界部７３ｂに対してエアを吹き出す構成としているが、その逆に上側の境界部７３ｂから下側の境界部７３ａに対してエアを吹き出す構成とすることも可能である。
【００６８】
その他に、上階部と下階部とを結ぶ階段部分にエアカーテン装置を設けても良い。この場合、エアカーテン吹出グリルやエアカーテン吸込グリルが階段角度（傾き）に沿って斜めに設けられていても良い。いずれにしろ、上階部と下階部との階間を仕切る高さ付近にエアカーテン装置が設けられ、そのエアカーテン装置により水平方向又は略水平方向にエアカーテンが形成される構成であれば良い。
【００６９】
また、吹き抜け開口部の平面形状（上階側又は下階側から見た形状）を変更して良く、その変更例を図１２に示す。図１２（ａ）では、吹き抜け開口部を幅狭部分と幅広部分とを有する形状とし、同（ｂ）では、吹き抜け開口部を三角形状としている。そして、いずれの場合にも、吹き抜け開口部にエアカーテンＡＣを発生させる構成としている。なお、図１２の（ａ），（ｂ）のように、エアカーテン長さ（エア吹出位置から吸込位置までの距離）が部位によって相違する場合、そのエアカーテン長さに応じてエア吹出強さを変更しても良い。例えば、エアカーテン長さが短い部位はエア吹出強さを小さくし、エアカーテン長さが長い部位はエア吹出強さを大きくする。
【００７０】
上記第１の実施形態では、一階及び二階の温度差が所定値以上であることをエアカーテンの発生条件としたが（図４のフローチャート参照）、これを以下のように変更する。例えば、吹き抜け空間１５において上下方向の空気流（上昇気流又は下降気流）が発生しているかどうかを判定し、その空気流が発生している旨判定した場合にエアカーテンを発生させるようにしても良い。空気流の有無は熱式センサ等からなる空気流センサにより検出されると良い。本構成によっても、上記のとおり都度の必要に応じて適度にエアカーテンを発生させることができる。
【００７１】
上記第３の実施形態では、吹出エアの温度に応じてエアカーテンの上下角度（例えば吹出エアの上下角度）を可変としたが、これを変更する。例えば、空調装置２１により冷房空調が行われるか、暖房空調が行われるかに応じてエアカーテンの上下角度（例えば吹出エアの上下角度）を可変としても良い。
【００７２】
住宅以外の建物にも本発明を適用することができる。例えば、吹き抜けロビーを有するホテル等の建物や、ショッピングモール等の商用設備において、上階部と下階部とを連通する吹き抜け空間に本発明を適用することも可能である。
【図面の簡単な説明】
【００７３】
【図１】建物における空調システムの概要を示す図。
【図２】建物を境界部にて断面視した平面略図。
【図３】空調システムの制御系の構成を示す図。
【図４】エアカーテン制御に関する処理手順を示すフローチャート。
【図５】第２の実施形態においてエアカーテン制御に関する処理手順を示すフローチャート。
【図６】第２の実施形態において一階及び二階の冷暖房の実施状況とエアカーテン発生の有り無しとをまとめて示す図。
【図７】第３の実施形態における基本構成を示す略図。
【図８】第３の実施形態において吹出エアの温度と同吹出エアの進行方向との関係を説明するための略図。
【図９】第３の実施形態における基本構成を示す略図。
【図１０】第３の実施形態において吹出エアの温度と同吹出エアの進行方向との関係を説明するための略図。
【図１１】別の実施形態においてエアカーテン装置の設置例を示す略図。
【図１２】吹き抜け開口部の変更例を示す略図。
【符号の説明】
【００７４】
１０…建物、１１…一階部分、１２…二階部分、１３…境界部、１４…吹き抜け開口部、１５…吹き抜け空間、２１…空調装置、３１…空調装置、４０…エアカーテン装置、４１…吹出ファン、４２…エアカーテン吹出グリル、４３…吸込ファン、４４…エアカーテン吸込グリル、４４ａ〜４４ｃ…吸込口、５１…第１空調コントローラ、５３，５７…温度センサ。
【図１】
2008111627.tif 000003
【図２】
2008111627.tif 000004
【図３】
2008111627.tif 000005
【図４】
2008111627.tif 000006
【図５】
2008111627.tif 000007
【図６】
2008111627.tif 000008
【図７】
2008111627.tif 000009
【図８】
2008111627.tif 000010
【図９】
2008111627.tif 000011
【図１０】
2008111627.tif 000012
【図１１】
2008111627.tif 000013
【図１２】
2008111627.tif 000014